(57)【要約】【課題】端子がコネクタ本体から引き出されない電気コネクタを提供する。【解決手段】電気コネクタは、コネクタ本体及び電気端子を含む。コネクタ本体には、端子受け入れキャビティが形成される。キャビティは、部分的に壁によって形成される。係止部材が、壁からキャビティ内に延びている。可撓性ビームがキャビティ内に壁と向き合って延びる。片持ち梁状の端子安定化部材が可撓性ビームからキャビティ内に延びる。端子がキャビティ内に受け入れられるとき、可撓性ビームが端子に当接し端子を壁に向かって押圧し係止部材が端子と係合し、端子が開口部を通ってキャビティの外に戻らないようにし、端子安定化部材が端子に当接し、キャビティ内での端子の回転運動を阻止する。【選択図】図１
2007005310.tif 000002
【特許請求の範囲】
【請求項１】
端子を内部に受け入れるためのキャビティを持つコネクタ本体であって、
前記コネクタ本体の面から前記キャビティ内に延びる弾性部材を備え、該弾性部材は、第１位置で前記端子に当接して、前記端子を前記面に向かって押圧するように形成されており、
前記コネクタ本体は、また、前記弾性部材から前記キャビティ内に延びる片持ち梁状の部材を備えており、該片持ち梁状の部材は、第２位置で前記端子と当接して、前記キャビティ内での前記端子の回転運動を阻止できるようにした、コネクタ本体。
【請求項２】
請求項１に記載のコネクタ本体において、
前記片持ち梁状の部材及び前記弾性部材は、凹所を形成し、この凹所は、前記片持ち梁状の部材の側部と前記弾性部材との間を隔離する空間を形成する、コネクタ本体。
【請求項３】
請求項２に記載のコネクタ本体において、
前記弾性部材は、可撓性ビームを備えており、
前記可撓性ビームは、前記コネクタ本体に固定された第１及び第２の端部を含む、コネクタ本体。
【請求項４】
請求項３に記載のコネクタ本体において、
前記可撓性ビームは、前記第１位置で前記端子に当接するための隆起部を含み、
前記片持ち梁状の部材は、前記隆起部から突出している、コネクタ本体。
【請求項５】
請求項４に記載のコネクタ本体において、
前記片持ち梁状の部材は実質的に剛性である、コネクタ本体。
【請求項６】
請求項５に記載のコネクタ本体において、
前記片持ち梁状の部材は、前記可撓性ビームに対してほぼ平行に延びている、コネクタ本体。
【請求項７】
請求項６に記載のコネクタ本体において、
前記キャビティは、前記端子を挿入できる開口部を有しており、
前記端子が前記開口部を通って前記キャビティの外に戻るのを阻止できるように、剛性を有する係止尖端が、前記端子と係合するために前記面から延びている、コネクタ本体。
【請求項８】
電気コネクタであって、
導電性の端子と、
端子受け入れキャビティが形成されたコネクタ本体とを備えており、
前記キャビティは部分的に壁によって形成されており、
前記キャビティには、前記端子を挿入する開口部が設けられており、
係止部材及び可撓性ビームの各々が、前記キャビティ内に延びており、
片持ち梁状の端子安定化部材が、前記可撓性ビームから前記キャビティ内に延びており、
前記端子は、前記可撓性ビームが前記端子の第１部分に当接し、前記端子を前記壁に向かって押圧するように、前記キャビティに受け入れられ、
前記係止部材は、前記端子の第２部分と係合して、前記端子が前記開口部を通って前記キャビティの外に戻らないようにし、
前記端子安定化部材は、前記端子の第３部分に当接し、前記キャビティ内での前記端子の回転運動を阻止する、電気コネクタ。
【請求項９】
請求項８に記載の電気コネクタにおいて、
前記可撓性ビームは第１及び第２の端部が固定されており、前記第１の端部と前記第２の端部との間が変形可能である、電気コネクタ。
【請求項１０】
請求項９に記載の電気コネクタにおいて、
前記端子安定化部材は、前記可撓性ビームの第１面から前記端子受け入れキャビティ内に延びる尖端を含み、
この尖端は、前記可撓性ビームに向いた非接触面を有し、
この非接触面及び前記可撓性ビームの前記第１面は、前記尖端の側部を前記可撓性ビームから隔離する空間を形成する、電気コネクタ。
【請求項１１】
請求項１０に記載の電気コネクタにおいて、
前記可撓性ビームは、前記第１及び第２の端子間を延びるブリッジと、隆起部とを備えており、
前記隆起部は、前記端子の前記第１部分に当接するため、前記ブリッジから前記キャビティ内に延びる、電気コネクタ。
【請求項１２】
請求項１１に記載の電気コネクタにおいて、
前記尖端は、前記隆起部から延びる、電気コネクタ。
【請求項１３】
請求項１２に記載の電気コネクタにおいて、
前記隆起部は、隆起部ベースのところで前記ブリッジに連結されており、
前記隆起部及び前記尖端は、互いに端子保持面を形成し、
この端子保持面は、前記開口部から遠ざかる方向に第１距離まで延びており、前記隆起部ベースは、前記開口部から遠ざかる方向に第２距離まで延びており、前記第１距離は前記第２距離よりも大きい、電気コネクタ。
【請求項１４】
電気コネクタであって、
導電性の端子と、端子受け入れキャビティが形成された絶縁性のコネクタ本体とを備えており、
前記導電性の端子は、第１端と、導線に取り付けるための第２端と、これらの端部間を延びる本体部分とを有しており、
前記本体部分は、第１面と、凹所が形成された反対側の第２面とを有しており、前記凹所は、部分的に、前記第２面の剛性係止縁部によって形成されており、、
前記端子受け入れキャビティは、部分的に前記コネクタ本体の第１壁によって形成されており、
前記コネクタ本体は、前面及び反対側の後面を有し、
前記キャビティは、前記後面に、前記端子を受け入れるための第１開口部が設けられており、
前記キャビティは、前記前面に、嵌合エレメントと電気的に接触するために前記端子を露呈するための第２開口部が設けられており、
係止尖端が、前記第１壁から前記キャビティ内に延びており、
可撓性ビームが、前記第１壁と向き合って前記キャビティ内に延びており、
片持ち梁状の端子安定化部材が、前記可撓性ビームから前記キャビティ内に延び、これによって、前記片持ち梁状の端子安定化部材の側部と前記可撓性ビームとの間に空間を形成する凹状領域を形成し、
前記端子は前記キャビティ内に受け入れられ、それによって、前記可撓性ビームが、前記端子の前記第１面の第１部分と係合して、前記端子が前記第１壁に向かって押圧され、
前記係止尖端は、前記凹所に受け入れられ、それによって、前記係止縁部が前記係止尖端と係合し、これにより、前記端子が、前記端子受け入れキャビティから前記第２開口部を通って不時に引き出されることが防止され、
前記端子安定化部材は、前記端子の前記第１面の第２部分と当接し、これにより、前記キャビティ内での前記端子の回転運動が阻止される、電気コネクタ。
【請求項１５】
請求項１４に記載の電気コネクタにおいて、
前記可撓性ビームは、前記係止尖端とほぼ向き合った所定位置で、前記キャビティ内に延びる端子保持突出部を備えた、電気コネクタ。
【請求項１６】
請求項１５に記載の電気コネクタにおいて、
前記係止尖端は、前記第１壁から延びる剛性係止尖端を備えた、電気コネクタ。
【請求項１７】
請求項１６に記載の電気コネクタにおいて、
前記片持ち梁状の端子安定化部材は、前記端子保持突出部から突出した実質的に剛性の第２尖端を備えた、電気コネクタ。
【請求項１８】
請求項１７に記載の電気コネクタにおいて、
前記片持ち梁状の端子安定化部材は、概ね前記コネクタ本体の前記前面に向かって延びる、電気コネクタ。
【請求項１９】
請求項１８に記載の電気コネクタにおいて、
前記可撓性ビームは第１及び第２の端部が固定されており、両側部に沿って外れている、電気コネクタ。
【請求項２０】
請求項１９に記載の電気コネクタにおいて、
前記キャビティは、更に、部分的に、前記第１壁から交差方向に延びる対向した第２及び第３の両壁によって形成されており、
前記係止尖端は、前記第２及び第３の壁の各々に取り付けられている、電気コネクタ。
【請求項２１】
請求項２０に記載の電気コネクタにおいて、
前記係止尖端は、前記第１壁に対して鋭角をなして配向された剛性を有する係止肩部を含み、
前記係止肩部は、前記第１面及び前記第１壁に向かって面しており、前記係止肩部は前記係止縁部と係合する、電気コネクタ。
【発明の詳細な説明】
【技術分野】
【０００１】
本発明は電気コネクタに関し、更に詳細には、端子をコネクタ本体の端子受け入れキャビティに保持する電気コネクタに関する。
【背景技術】
【０００２】
電気コネクタが、端子を受け入れるためのキャビティを形成するコネクタ本体を含むのは一般的である。更に、端子をコネクタ本体のそのようなキャビティ内に保持するための一つ又はそれ以上の可撓性係止部を、このような電気コネクタに組み込むことは一般的である。このような係止部は、端子、コネクタ本体、又はこれらの両方と一体成形できる。このような係止部を使用することによって多くの利点が得られるけれども、可撓性係止突起部又は指状部を組み込むと製造プロセスが複雑になり、場合によっては成形を別々に行った後に多くの部品を組み込む必要があり、完成したコネクタのサイズが大きくなったり、複雑さが増してしまうということがしばしばあった。更に、可撓性係止部材が不注意により外れてしまったり、端子のコネクタ本体からの意図せぬ係合解除が起こることがある。
【０００３】
１９９９年１１月９日にモレロ等に付与された、本発明の譲受人に譲渡された米国特許第５，９８０，３１８号には、このような可撓性係止構造を持つ電気コネクタが開示されている。例えば、モレロの特許には、剛性フロア壁によって部分的に形成された端子受け入れキャビティが開示されている。剛性フロア壁は、剛性の係止尖端を持っており、係止尖端は、剛性フロア壁から端子受け入れキャビティ内に上方に延びている。コネクタ本体は、端子を、各端子受け入れキャビティ内に受け入れる。可撓性ビームが、剛性フロア壁と向き合っており、可撓性ビームは、剛性フロア上にある端子受け入れキャビティ内に延びる。可撓性ビームは、キャビティに受け入れられた端子の上面と係合することによって、端子をフロアに向かって押圧し、その結果、端子が係止尖端と係合する。天井壁は、更に、端子保持突出部を有している。端子保持突出部は、剛性係止尖端とほぼ向き合った位置で、剛性フロア壁に向かって延びている。端子保持突出部は、端子をコネクタに挿入したときに、端子と係合して、該端子を可撓性ビームから遠ざかる方向に押圧するようにに形成されており、これによって、可撓性ビーム用の撓み点を提供すると同時に、挿入に抵抗する摩擦力を小さくできる。更に、各端子は、端子の側壁に取り付けられた剛性係止バーによって部分的に形成された凹所を備えていてもよい。端子が端子キャビティに一杯に着座したとき、剛性係止尖端が端子の凹所に配置される。このとき、剛性係止バーが剛性係止尖端と係合して、着座した端子が、端子キャビティから引き出されない状態となる。
【特許文献１】米国特許第５，９８０，３１８号
【０００４】
残念なことに、着座させた端子を、取り付けられたリードで引っ張ると、端子がキャビティ内で並進したり又は回転したりしてしまう。極端な場合には、端子を十分な力で引っ張ったときに、係止縁部を含む端子が変形したり損傷してしまうことがある。そのため、端子及び係止尖端は互いに適切に係合しなくなり、受け入れられない程の低い係合解除力で、端子が、キャビティから引き出すことができるようになる。少なくともこうした理由のため、コネクタ内に着座した端子の回転に抵抗し、端子を比較的高い端子保持力で保持するが、端子を比較的低い挿入力で挿入できる電気コネクタが希求されている。
【発明の開示】
【発明が解決しようとする課題】
【０００５】
本発明の目的は、端子がコネクタ本体から引き出されないように端子がコネクタ本体の端子キャビティと係合する種類の改良された電気コネクタを提供することである。
【課題を解決するための手段】
【０００６】
本発明は、改良端子保持構成、好ましくは、端子引出し力が大きいほど端子の引出に対する抵抗が増大した構成を持つ、電気コネクタを提供する。
【０００７】
一つの特徴では、本発明の特徴は、端子を受け入れるためのキャビティを持つコネクタ本体が、キャビティ内に延びる弾性部材を含む。この弾性部材は、端子の第１部分と当接して端子をキャビティの壁に向かって押圧する。片持ち梁状の部材が、弾性部材からキャビティ内に延び、端子の第２部分に当接し、キャビティ内での端子の回転運動に抵抗し、これによって端子引出し抵抗を大幅に増大する。
【０００８】
別の特徴では、本発明の特徴は、係止部材及び可撓性ビームの端子安定化部材が、端子キャビティ内に延びるということである。可撓性ビームは、その第１及び第２の端部がキャビティの壁に固定される。端子安定化部材は、可撓性ビームからキャビティ内に延び、可撓性ビームは、端子がキャビティに受け入れられたときに端子に当接することによって、端子をキャビティの壁に向かって押圧する。係止部材は、端子が開口部を通ってキャビティの外に戻らないように端子と係合し、端子安定化部材は、キャビティ内での端子の回転運動に抵抗するように端子に当接する。
【０００９】
一つの例示の実施例では、電気コネクタは、絶縁性のコネクタ本体及び導電性の端子を含む。この端子は、第１端、導線に取り付けるための第２端、及びこれらの端部間を延びる端子本体を含む。絶縁性コネクタ本体は、凹所を形成する第１及び第２の面を有し、第２面に形成された剛性係止縁部を含む。コネクタ本体は、前面及び後面を有し、端子を受け入れるためのキャビティを形成する。例示の実施例では、後面には端子を受け入れるための第１開口部が設けられており、端子をキャビティに入れることができる。更に、前面には、キャビティへのアクセスを提供するように形成され、また、端子をキャビティに着座したときにこの端子と嵌合する（又は噛み合う）エレメントと電気的に接触するために端子を露呈するように形成された第２開口部が設けられている。剛性係止尖端が、第１内壁から端子受け入れキャビティ内に延びており、可撓性ビームが、第１内壁と反対側で端子受け入れキャビティ内に延びている。
【００１０】
例示の実施例では、端子を安定化するための片持ち梁状の部材が、可撓性ビームから端子受け入れキャビティ内に延びて、片持ち梁状の端子安定化部材の一方の側部と可撓性ビームとの間に凹所を形成する。この実施例によれば、可撓性ビームは、端子が端子受け入れキャビティに受け入れられたときに、この端子を第１内壁に向かって押圧するように端子の第１面の第１部分と係合する。更に、係止尖端は、凹所に受け入れられ、その結果、係止縁部が係止尖端と係合し、これによって、端子が端子受け入れキャビティから第２開口部を通って不時に引き出されることがないようしている。端子安定化部材は、端子の第１面の第２部分と当接し、キャビティ内での端子の回転移動に抵抗し、端子の保持を改善する。
【００１１】
以上の特徴の各々により端子の保持が改善されるけれども、コネクタ本体と端子との間の相対移動を抑え、端子挿入力を減少し、端子の保持を改善するため、複数のこれらの特徴を含むのが好ましい。
【００１２】
本発明のこれらの及び他の特徴及び利点は、図面の簡単な説明、詳細な説明、特許請求の範囲、及び添付図面から明らかになるであろう。
【００１３】
上文中に言及した本発明の特徴は、同じ部材に同じ参照番号を付した添付図面と関連して以下の詳細な説明を読むことにより更に明らかに理解されるであろう。
【発明を実施するための最良の形態】
【００１４】
図１乃至図６は、本発明による電気コネクタ１０の例示の実施例を示す。電気コネクタ１０は、絶縁性のコネクタ本体１２と、導電性の雌端子１４とを含む。コネクタ本体１２は、好ましくは、無充填ポリエステル等の合成樹脂から形成されている。コネクタ本体１２には、第１キャビティ即ち端子受け入れキャビティ１６が形成されている。コネクタ本体１２は、以下に更に詳細に説明するように、端子受け入れキャビティ１６に端子１４を受け入れるように形成されており且つ構成されている。コネクタ本体１２は、前面１８と、反対側の後面２０とを含む。後面には、端子受け入れキャビティ１６と整合した第１の開口部２２が設けられている。これによって、電気端子１４を、第１開口部２２を通して端子受け入れキャビティ１６に容易に挿入できる。
【００１５】
端子受け入れキャビティ１６は、部分的には、剛性を有するフロア即ち第１壁２４によって形成される。対向する直立した第２及び第３の両壁２６ａ、２６ｂが、フロア２４から交差方向に延びている。端子受け入れキャビティ１６は、更に、対向する第２壁２６ａ及び第３壁２６ｂの両壁間を延びる天井即ち第４壁２８によって形成されている。剛性フロア２４は、このフロアが移動したり撓んだりしないように、少なくとも二つの縁部に沿って、好ましくは全ての（４つの）縁部に沿って取り付けられている。
【００１６】
剛性を有する係止尖端３０が、剛性フロア２４から上方に端子受け入れキャビティ１６内に延びている。剛性係止尖端３０は、傾斜面３２を有している。傾斜面３２は、コネクタ本体１２の最も近い後面２０から始まり、剛性を有する係止肩部３４で終端する。剛性係止肩部３４は、係止尖端３０のうち前面１８の最も近くに形成された部分に設けられている。図６に示すように、剛性係止肩部３４は、この剛性係止肩部３４が前面１８及び剛性フロア２４の両方に面するように、剛性フロア２４に関して鋭角３６をなして方向決めあるいは配向されている。
【００１７】
図５に示すように、剛性係止尖端３０は、第２及び第３の壁２６ａ、２６ｂ間を延びており、これらの壁２６ａ、２６ｂの各々に取り付けられている。可撓性ビーム３８が、剛性フロア２４の反対側で、天井２８から端子受け入れキャビティ１６内に延びている。可撓性ビーム３８は、第１及び第２の端部４２、４４間を延びるブリッジ部分４０を含む。第１端４２は、コネクタ本体１２の前面１８に取り付けられている。第２端４４は、コネクタ本体１２の後面２０に天井２８を介して取り付けられている。可撓性ビーム３８は、好ましくは、第１及び第２の端部４２、４４のところだけを取り付け、ビーム３８の側部４６、４８に沿った部分は、取り付けられていないことが好ましい。
【００１８】
可撓性ビーム３８は、更に、隆起部（プロチュバランス）即ち端子保持突出部５０を含む。この端子保持突出部５０は、ブリッジ部分４０のうち端子受け入れキャビティに面する面５１から突出している。そして、端子保持突出部５０は、剛性係止尖端３０とほぼ向き合った所定位置のところで、剛性フロア２４に向かって延びている。端子保持突出部５０は、可撓性ビーム３８の撓み点を提供する。図２に示すように、端子保持突出部ベース５２が、端子保持突出部５０がブリッジ部分４０から延びる位置に、設けられている。
【００１９】
片持ち梁のように形成された実質的に剛性の端子安定化部材５４が、端子保持突出部５０から突出しており、コネクタ本体１２の前面１８に向かって延びている。断面図では、端子安定化部材５４は、可撓性ビーム３８のブリッジ部分４０に対してほぼ平行に延びており、つま先（トー）に似た形状となっている。端子保持突出部５０及び端子安定化部材５４は、一緒になって、端子接触面５６を形成する。端子保持突出部５０、端子安定化部材５４、及び可撓性ビーム３８のブリッジ部分４０は、空間５７を形成する凹状領域５５を形成する。空間５７は、端子安定化部材５４の非接触側即ち非接触面５９と、ブリッジ部分４０のうち端子受け入れキャビティに面する面５１との間に、形成される。空間５７は、端子安定化部材５４の側部５９を可撓性ビーム３８から離間し、端子安定化部材５４が可撓性ビーム３８の弾性又は弾力に及ぼす影響を小さくする。第２キャビティ５８が、コネクタ本体１２内の可撓性ビーム３８上に形成されており、これによって、可撓性ビーム３８を、容易に、移動又は撓ますことができるようになっている。
【００２０】
例示の実施例では、電気端子１４は、ゲージ厚が比較的薄い金属素材でできた金属製の一部品からなる（又は、一体型の）部材であり、全体に箱状の主本体部分１０２を前側に有し、導体係合部分１０４を後側に有する。主本体部分１０２は、雄端子等の嵌合（噛み合い）エレメント（図示せず）を受け入れるための開口部１０６を有する。導体係合部分１０４は、導線２０２に取り付けられるように形成されており、金属製のクリンプ部分（圧着部分）１０８を含む。本体部分１０２は、上面１１０及び下面１１２を有する。本体部分１０２は、本体部分１０２の前端１１６から延びる係止部材１１４を含む。
【００２１】
この係止部材１１４は、平らな部分１１８を含み、この平らな部分１１８は、先端１２２にある剛性を有する係止縁部１２０まで延びる。係止縁部１２０は、以下に詳細に説明するように、端子１４をコネクタ本体１２に着座したとき、係止尖端３０の剛性係止肩部３４と係合する。下面１１２は、剛性係止尖端３０を受け入れるための凹所即ち穴１２４を形成する。端子１４を端子受け入れキャビティ１６に着座したときに以下に詳細に説明するように、剛性係止縁部１２０は、剛性係止肩部３４と係合するための、係止部材１１４の先端１２２に形成された楔形状縁部分１２６及び丸味のある部分１２８を含む。係止部材１１４は、更に、平らな部分１１８の両側から上方に延びる両側部１３０ａ、１３０ｂを含む。各側部１３０ａ、１３０ｂは、他方の側部１３０ａ、１３０ｂから見たとき、前方に延びる輪郭を有する。以下に詳細に説明するように、端子１４をコネクタ本体１２に着座したとき、各側部１３０ａ、１３０ｂは、係止尖端３０の剛性係止肩部３４と係合する。
【００２２】
コネクタ１０を組み立てるため、端子１４の第１端１０２を、後面２０の第１開口部２２を通して、端子受け入れキャビティ１６に挿入する。端子１４の第１端１０２は係止尖端３０と係合し、端子１４が傾斜面３２に乗り上げ、端子１４を持ち上げて剛性フロア２４から離す。端子１４が係止尖端３０の傾斜面３２に乗り上げると、上面１１０が端子保持突出部５０と係合し、可撓性ビーム３８が第２キャビティ５８内に上方に撓み、係止尖端３０と端子保持突出部５０との間の端子１４の移動を受け入れる。端子安定化部材５４は、撓むとき、可撓性ビーム３８に従う。
【００２３】
端子１４の挿入中に可撓性ビーム３８が撓むことにより、端子安定化部材５４は、最初の配向位置から回転し、入ってくる端子１４と整合する。端子１４を、端子受け入れキャビティ１６内に更に前方に押し込むと、凹所又は穴１２４が、剛性係止尖端３０の上に重なる。その時点で、端子の上面１１０に加わっている可撓性ビーム３８の弾性力によって、端子１４が剛性フロア２４に押し付けられ、端子安定化部材５４がその最初の配向位置に戻され、端子１４は、コネクタ本体１２の端子受け入れキャビティ１６に着座する。
【００２４】
この着座位置では、可撓性ビーム３８の一部である端子保持突出部５０が、端子１４の上面１１０の第１部分１１０ａと接触し、これによって、端子１４は、剛性フロア２４に向かって押圧又は偏倚される。係止尖端３０の剛性係止肩部３４が、剛性係止縁部１２０と係合し、これによって、端子１４が、後方に移動して第１開口部２２を通って、端子受け入れキャビティ１６から外れる（又は不時に引き出される）ことがないようにしている。片持ち梁状の端子安定化部材５４は、端子１４の上面１１０の第２部分１１０ｂと係合し、これによって、端子受け入れキャビティ１６内で、端子１４の揺動又は回転運動に抵抗して、かかる揺動や回転運動を阻止している。
【００２５】
端子１４が前方に移動しないように、前面１８の内側壁等のストッパ６０が、コネクタ本体１２に設けられている。雄端子ブレード（図示せず）又はシャフトを、コネクタ本体１２の前面１８の第２開口部６２を通して、端子１４の第１端１０２の開口部１０６内に挿入することができる。第３開口部６４が、コネクタ本体１２の前面１８に設けられており、端子受け入れキャビティ１６と連通している。その結果、工具（図示せず）を第３開口部６４に挿入し、端子１４を持ち上げて、係止縁部１２０を係止尖端３０の上にあるようし、これによって、端子１４を、後面２０の第１開口部２２を通して取り外すことができる。
【００２６】
図６を参照すると、端子接触面５６は、第１開口部２２から遠ざかる方向に第１距離３０２だけ離れた箇所まで延びており、端子保持突出部ベース５２は、第１開口部２２から遠ざかる方向に第２距離３０４だけ離れた箇所まで延びており、第１距離３０２は第２距離３０４よりも大きい。従って、例示の実施例では、端子保持突出部５０は、可撓性ビーム３８の中央の近くの最適の位置に撓み点を提供し、これによって、端子１４を、端子受け入れキャビティ１６に挿入するのに必要な力を最小にできる。また、片持ち梁形状の端子安定化部材５４は、端子保持突出部５０から前方に突出しており、これによって、端子１４の回転運動を阻止できる。
【００２７】
図６を参照すると、例示の実施例では、端子保持突出部ベース５０は、断面３０６を有しており、その断面３０６の面積は、端子接触面５６の面積よりも小さい。これは、ベースが小さいと、ビームは全体としてより撓みやすくなって剛性が低くなり、これによって端子挿入力を低くできるため、有利である。端子接触面５６の面積が大きいと、端子１４に対して大きな支持を提供し、端子の安定性が大きくなる。
【００２８】
上述のように、本発明では、端子保持構造が改善でき、これらの構造の特徴のうちの任意の一つの特徴により端子保持が改善される。しかしながら、端子保持構造の改善が複数であるのが好ましく、更に好ましくは、本発明の改善された端子保持構造の特徴の全てを使用するのが好ましい。
【００２９】
上文中に説明し且つ図示した例示の実施例は単なる例であって、本発明の範囲を限定しようとするものではない。例示の比、材料、及び形成技術は単なる例示であって、これらは、本発明を実施するうえで必ずしも必要なものではない。ここに開示した本発明の範囲は、図示し且つ上文中に説明した特定の開示の実施例に限定されるべきではなく、特許請求の範囲を正しく読むことによって定義されるべきである。
【００３０】
本明細書を読んで理解することによって、この他の変形及び変更を思いつくことができる。例えば、例示の実施例では、端子１４は、金属製の一部品からなる部材である。しかしながら、本明細書による電気コネクタには、一部品よりも多い部品からなる端子が含まれる。本明細書は、本発明の範囲内に入る限り、このような変形及び変更を含もうとするものである。
【図面の簡単な説明】
【００３１】
【図１】図１は、本発明による電気コネクタの一部分を断面した分解斜視図である。
【図２】図２は、本発明による電気コネクタの一部を断面した斜視図である。
【図３】図３は、図１に示す電気コネクタの部分である雌端子の斜視図である。
【図４】図４は、本発明による電気コネクタの端面図である。
【図５】図５は、図４の電気コネクタの５−５線に沿った断面図である。
【図６】図６は、本発明の一つの特徴を示す断面図である。
【符号の説明】
【００３２】
１０  電気コネクタ
１２  絶縁性コネクタ本体
１４  導電性雌端子
１６  端子受け入れキャビティ
１８  前面
２０  後面
２２  第１開口部
２４  第１壁
２６ａ  第２壁
２６ｂ  第３壁
２８  第４壁
３０  剛性を有する係止尖端
３４  剛性を有する係止肩部
３８  可撓性ビーム
４０  ブリッジ部分
４２  第１端
４４  第２端
４６、４８  ビーム側部
５０  端子保持突出部
５２  端子保持突出部ベース
【図１】
2007005310.tif 000003
【図２】
2007005310.tif 000004
【図３】
2007005310.tif 000005
【図４】
2007005310.tif 000006
【図５】
2007005310.tif 000007
【図６】
2007005310.tif 000008
【外国語明細書】
2007005310000001.pdf